(57)【特許請求の範囲】
【請求項１】
床面に複数のポールを左右に離間させて立設するとともに、互いに隣接するポール間を上下１対の横フレームにより連結し、該上下の横フレーム間に閉塞部材を取付けるポール間への閉塞部材の取付構造において、
前記上下の各横フレームを、前後いずれか一方の面が開口するとともに、開口面側に係合部を有するほぼ桶状のフレーム本体と、前記係合部と係合可能な被係合部を備え、該被係合部を前記係合部に係合させることにより、前記フレーム本体の開口部を閉塞しうるカバー部材とからなるものとし、前記閉塞部材は布状の第１の閉塞部材と板状の第２の閉塞部材から成り、前記カバー部材がフレーム本体の開口部を閉塞したときに、第１の閉塞部材と第２の閉塞部材の双方、または第２の閉塞部材だけを選択して、前記カバー部材とフレーム本体との対向面で挟持することにより上下の横フレーム間に取り付けられるようにすると共に、フレーム本体には第１の閉塞部材が係止される第１の閉塞部材側に突設した係止片と、第２の閉塞部材と面接触しうる保持部が形成されていることを特徴とするポール間への閉塞部材の取付構造。
【請求項２】
前記第２の閉塞部材の上下の端部を、前後いずれか一方にほぼくの字状に折曲するとともに、上下のフレーム本体の対向部側の端部を、横フレーム内において前記第２の閉塞部材の折曲端部が面接触し得るように内向きに折曲して前記保持部を形成した請求項１に記載のポール間への閉塞部材の取付構造。
【請求項３】
カバー部材の被係合部を上下１対の弾性係合片とし、フレーム本体の係合部に着脱可能に弾性的に係合するようにした請求項１または２に記載のポール間への閉塞部材の取付構造。
【請求項４】
前記第２の閉塞部材を磁性金属製のパンチングプレートまたはピンナップパネルとした請求項１ないし３のいずれかに記載のポール間への閉塞部材の取付構造。
【発明の詳細な説明】
【０００１】
【発明の属する技術分野】
本発明は、床面に立接したポール間に、板状の閉塞部材を簡単に取付けることができるようにした取付構造に関する。
【０００２】
【従来の技術】
互いに隣接するポール間を上下１対の横フレームにより連結し、両横フレーム間に閉塞部材を取付けるには、通常、閉塞部材の上下の端部をねじを用いて直接横フレームに固定するか、もしくは横フレームに設けたブラケット等に閉塞部材の上下の端部をねじ等の固定手段を用いて取付けているのが一般的である。
【０００３】
【発明が解決しようとする課題】
上述のように、閉塞部材の取付けにねじやブラケット等を用いると、それらが外部に露出して見栄えが悪くなる。
【０００４】
この問題を解決するためには、上下の横フレームの対向部に、閉塞部材の上下の端部を挿し込んで取付けることも考えられる。しかし、このようにすると、上下いずれか一方の横フレームをポールより取外した状態で、他方の横フレームの対向部に閉塞部材の一端部を挿入し、次いで閉塞部材の他端部に一方の横フレームの対向部を挿入してから、この横フレームをポールに固定しなければならず、閉塞部材の取付けや取外しに多くの手間がかかるとともに、ポールに予め取付けられた上下の横フレームに簡単に後付けできないという問題がある。
【０００５】
本発明は、上記問題点を解決するためになされたもので、ポール間に予め固定された上下の横フレーム間に、板状の閉塞部材を簡単かつ体裁よく後付けし得るようにしたポール間への閉塞部材の取付構造を提供することを目的としている。
【０００６】
【課題を解決するための手段】
上記目的を達成するために、本発明の閉塞部材の取付構造は、床面に複数のポールを左右に離間させて立設するとともに、互いに隣接するポール間を上下１対の横フレームにより連結し、該上下の横フレーム間に閉塞部材を取付けるポール間への閉塞部材の取付構造において、前記上下の各横フレームを、前後いずれか一方の面が開口するとともに、開口面側に係合部を有するほぼ桶状のフレーム本体と、前記係合部と係合可能な被係合部を備え、該被係合部を前記係合部に係合させることにより、前記フレーム本体の開口部を閉塞しうるカバー部材とからなるものとし、前記閉塞部材は布状の第１の閉塞部材と板状の第２の閉塞部材から成り、前記カバー部材がフレーム本体の開口部を閉塞したときに、第１の閉塞部材と第２の閉塞部材の双方、または第２の閉塞部材だけを選択して、前記カバー部材とフレーム本体との対向面で挟持することにより上下の横フレーム間に取り付けられるようにすると共に、フレーム本体には第１の閉塞部材が係止される第１の閉塞部材側に突設した係止片と、第２の閉塞部材と面接触しうる保持部が形成されていることを特徴としている。
上記構成の本発明によると、横フレームを、前後いずれか一方の面が開口するフレーム本体と、この開口部を閉塞しうるカバー部材とからなるものとしているため、予めポールに横フレームに固定しておいても、カバー部材を取外して第１及び第２の閉塞部材あるいは第２の閉塞部材だけの上下の端部をフレーム本体内に前後方向より挿入し、カバー部材をフレーム本体の開口部に止着し、上下の横フレーム間に第１及び第２の閉塞部材あるいは第２の閉塞部だけを挟持することで、上下の横フレーム間に閉塞部材を簡単に後付けできる。更に、第１の閉塞部材は係止片との係止と、カバー部材とフレーム本体の対向面での挟持により確実に上下の横フレーム間に取り付けることができ、第２の閉塞部材はフレーム本体の保持部と面接触すると共に、カバー部材とフレーム本体の対向面での挟持により位置ずれすることなく確実に保持される。
【０００７】
上記本発明の閉塞部材の取付構造において、前記第２の閉塞部材の上下の端部を、前後いずれか一方にほぼくの字状に折曲するとともに、上下のフレーム本体の対向部側の端部を、横フレーム内において前記第２の閉塞部材の折曲端部が面接触し得るように内向きに折曲して前記保持部を形成するのが好ましい。
このようにすると、前記第２の閉塞部材の上下の折曲端部を、フレーム本体の対向端部の内向折曲部の内面と当接させることにより、前記第２の閉塞部材を上下方向に位置決めした状態でカバー部材をフレーム本体に止着することができる。また、取付後において上下方向にがた付くことがなくなる。
【０００８】
上記本発明の閉塞部材の取付構造において、カバー部材の被係合部を上下１対の弾性係合片とし、フレーム本体の係合部に着脱可能に弾性的に係合するようにするのが好ましい。
このようにすると、カバー部材を単にフレーム本体に向かって押圧するだけで簡単に止着することができる。また、閉塞部材の取外しも容易となる。
【０００９】
上記本発明の閉塞部材の取付構造において、前記第２の閉塞部材を磁性金属製のパンチングプレートまたはピンナップパネルとするのが好ましい。
このようにすると、パンチングプレートはマグネットにより、またピンナップパネルはピン等により、書類などを閉塞部材の前後いずれかの面に保持することができる。
【００１０】
【発明の実施の形態】
以下、本発明の実施形態を図面に基づいて説明する。
【００１１】
図１は、本発明を適用した衝立て１の斜視図、図２は、図１のII−II線の縦断側面図（ポールは図示略）を示すもので、左右１対のポール２，２は、床面に設置された円形のベース体３の中央に立設されている。
【００１２】
ポール２は、アルミニウム合金等の押し出し成形品よりなり、図４及び図５に示すように、円筒形のポール本体２ａの外周面には、平面視Ｔ字状の放射方向を向く複数の係止片２ｂが、上下方向に全長に亘って一体的に形成され、隣接する係止片２ｂ間は係合溝４となっている。
【００１３】
ポール２間の上下の端部には、横フレーム５，５が連結されている。横フレーム５は、図３にも示すように、アルミニウム合金等により形成された、後面（以下、図１の右下方を前として説明する）が開口する桶状のフレーム本体５ａと、その開口面に止着される合成樹脂等の前面が開口する桶状のカバー部材５ｂとからなっている。
【００１４】
フレーム本体５ａにおける左右両端部の開口面の中央部には、左右両端が開口するほぼ円筒形の取付部６が一体形成され、その後端には、上下１対の凹溝状の係合部７，７が形成されている。
【００１５】
上方のフレーム本体５ａの取付部６の下部と、下方のフレーム本体５ａの取付部６の上部には、後端が球面となっている係止片８が、フレーム本体５ａの全長に亘って後向きに突設されている。
【００１６】
上下のフレーム本体５ａの対向端部は、後向き（内向き）にくの字形をなすように直線状に折曲され、後記するパンチングプレートの上下両端が面接触可能な保持部５ｃとなっている。
【００１７】
カバー部材５ｂの左右両端の開口部前面の中央部には、上記取付部６の上下の係合部７に弾性係合可能な上下１対の係合片９，９が前向きに突設されている。
【００１８】
上下のフレーム本体５ａは、図４及び図５に示すようにして、ポール２に取付けられている。
【００１９】
左右のポール２における対向面の係合溝４内に、左右方向を向く雌ねじ１０を有するクランプ材１１を嵌合して係止した後、フレーム本体５ａの両側端に、止着部材１２を、それに突設された円筒状突起部１２ａをフレーム本体５ａの取付部６内に嵌合することにより取付ける。
【００２０】
次いで、フレーム本体５ａの内方より円筒状突起部１２ａに挿入したボルト１３を、クランプ材１２の雌ねじ１０に螺合する。
【００２１】
なお、クランプ材１１を止着部材１２と共にフレーム本体５ａにボルト１３により仮止めした後、クランプ材１１を上方より係合溝４に落とし込み、所定位置でボルト１３を締め付けて取付けるようにしてもよい。
【００２２】
フレーム本体５ａをポール２に取付けた後、その開口縁にカバー部材５ｂの開口縁を後方より押し当て、カバー部材５ｂの上下の係合片９をフレーム本体５ａの取付部６の係合部７に弾性係合させることにより、カバー部材５ｂは、フレーム本体５ａに着脱可能に止着される。
【００２３】
カバー部材５ｂの装着時において、カバー部材５ｂの対向端部に形成された、フレーム本体５ａの保持部５ｃと対称をなす前向きくの字状の挟持部５ｄの先端が、保持部５ｃの先端と近接して対向するようになっている（図２参照）。
【００２４】
１４は、布製の第１の閉塞部材で、上下の端部は、図３に示すように、リング状断面の袋とじ部１４ａとなっている。
【００２５】
この第１の閉塞部材１４を上下の横フレーム５間に取付けるには、図３に示すように、カバー部材５ｂを装着する前に、ｃ字形断面の拡開方向に弾性変形可能な合成樹脂製のクロスクリップ１５を、上下の袋とじ部１４ａ内に挿入した後、図３の矢印で示すように、クロスクリップ１５をフレーム本体５ａの係止片８に向かって前方に押圧する。
【００２６】
すると、クロスクリップ１５が係止片８の先端の球面部により外方に弾性変形させられながら係止片８と弾性係合する。
【００２７】
これにより、袋とじ部１４ａの前面がクロスクリップ１５内に押し込まれた状態で、第１の閉塞部材１４の上下の端部が上下のフレーム本体５ａにより固定される。その後、カバー部材５ｂをフレーム本体５ａに止着すれば、第１の閉塞部材１４は、上下の横フレーム５の対向面間に体裁よく取付けられる（図２参照）。
【００２８】
１６は、第２の板状閉塞部材、すなわち上記第１の閉塞部材１４の左右寸法よりも小寸の磁性金属（例えばステンレス）製のパンチングプレートで、その上下両端部は、ほぼくの字状に折曲されている。くの字状折曲部の上下の端部は、フレーム本体５ａの保持部５ｃと同じ角度で前方に折曲された取付部１６ａとなっており、その前面と保持部５ｃの後面（内面）とが面接触し得るようになっている（図３参照）。
【００２９】
１７は、パンチングプレート１６の後面の左右両端に固着された補強部材である。
【００３０】
パンチングプレート１６を上下の横フレーム５間に取付けるには、図３に示すように、カバー部材５ｂ及び第１の閉塞部材１４を取付ける前の上下のフレーム本体５ａの保持部５ｃの後面に、パンチングプレート１６の上下の端部の取付部１６ａの前面を当接させて保持した後、第１の閉塞部材１４を上述のようにして取付け、次いでカバー部材５ｂをフレーム本体５ａに止着する。
【００３１】
これにより、パンチングプレート１６の取付部１６ａの折曲基部が、図２に示すように、フレーム本体５ａの保持部５ｃと、カバー部材５ｂの挟持部５ｄとの互いに近接する対向面により、第１の閉塞部材１４と共に挟持され、パンチングプレート１６は、上下の横フレーム５の対向面間に体裁よく取付けられる（図１参照）。
【００３２】
パンチングプレート１６の取付後において、その前面にマグネットを用いて書類等を保持することができる。
【００３３】
以上説明したように、上記実施形態の取付構造においては、フレーム５を、フレーム本体５ａとカバー部材５ｂとの２分割構造とし、それらの間に第１の閉塞部材１４及びパンチングプレート１６の上下の端部を挿入して挟持することにより取付けているため、ねじやブラケット等の取付手段は必要なく、左右のポール２間において上下の横フレーム５の対向面間に、第１の閉塞部材１４及びパンチングプレート１６を体裁よく、しかも簡単に後付けすることができる。
【００３４】
また、カバー部材５ｂのみを取外すことにより、双方の閉塞部材１４，１６を容易に他の閉塞部材等と交換することもできる。
【００３５】
パンチングプレート１６の上下の端部には、フレーム本体５ａの後向きに折曲した保持部５ｃの後面と面接触するくの字状の取付部１６ａが形成されているので、取付時の上下方向の位置決めが容易であり、また取付後において上下方向にがたが発生することもない。
【００３６】
なお、パンチングプレート１６を取付ける際は、第１の閉塞部材１４を省略してもよい。
【００３７】
また、パンチングプレート１６の代わりに、木製等よりなるピンナップパネルなどを取付けることもできる。
【００３８】
上記実施形態においては、左右１対のポール２間に閉塞部材１４，１６を取付ける例を示しているが、２個以上のポール２を所定間隔を設けて立設し、それらの間に連続又は間欠的に閉塞部材を取付けるようにしてもよい。
【００３９】
【発明の効果】
本発明によれば、次のような効果を奏する。
【００４０】
（ａ）請求項１の発明によれば、横フレームを、前後いずれか一方の面が開口するフレーム本体と、この開口部を閉塞しうるカバー部材とからなるものとしているため、予めポールに横フレームに固定しておいても、カバー部材を取外して第１及び第２の閉塞部材あるいは第２の閉塞部材だけの上下の端部をフレーム本体内に前後方向より挿入し、カバー部材をフレーム本体の開口部に止着し、上下の横フレーム間に第１及び第２の閉塞部材あるいは第２の閉塞部だけを挟持することで、上下の横フレーム間に閉塞部材を簡単に後付けできる。更に、第１の閉塞部材は係止片との係止と、カバー部材とフレーム本体の対向面での挟持により確実に上下の横フレーム間に取り付けることができ、第２の閉塞部材はフレーム本体の保持部と面接触すると共に、カバー部材とフレーム本体の対向面での挟持により位置ずれすることなく確実に保持される。
【００４１】
また、ねじやブラケット等の取付手段を全く使用しないので、取付後の体裁が向上する。
【００４２】
（ｂ）請求項２の発明によれば、前記第２の閉塞部材の上下の折曲端部を、フレーム本体の対向端部の内向折曲部の内面と当接させることにより、前記第２の閉塞部材を上下方向に位置決めした状態でカバー部材をフレーム本体に止着することができる。また、取付後において上下方向にがた付くことがなくなる。
【００４３】
（ｃ）請求項３の発明によれば、カバー部材を単にフレーム本体の開口面に向かって押圧するだけで簡単に止着することができる。また、カバー部材を取外すことにより、閉塞部材を簡単に取外すことができる。
【００４４】
（ｄ）請求項４の発明によれば、パンチングプレートはマグネットにより、またピンナップパネルはピン等を用いて、書類などを閉塞部材の前後いずれかの面に保持することができる。
【図面の簡単な説明】
【図１】本発明を適用した衝立ての斜視図である。
【図２】図１のII−II線の拡大縦断側面図である。
【図３】閉塞部材取付前の横フレームの分解縦断側面図である。
【図４】ポールとフレーム本体との取付部の分解斜視図である。
【図５】同じく、ポールとフレーム本体との取付部における取付後の一部切欠平面図である。
【符号の説明】
１                    衝立て
２                    ポール
２ａ                  ポール本体
２ｂ                  係止片
３                    ベース体
４                    係合溝
５                    横フレーム
５ａ                  フレーム本体
５ｂ                  カバー部材
５ｃ                  保持部
５ｄ                  挟持部
６                    取付部
８                    係止片
９                    係合片
１０                  雌ねじ
１１                  クランプ材
１２                  止着部材
１２ａ                円筒状突起部
１３                  ボルト
１４                  第１の閉塞部材
１４ａ                袋とじ部
１５                  クロスクリップ
１６                  パンチングプレート（板状の閉塞部材）
１６ａ                取付部（折曲端部）
１７                  補強部材
【図１】
0003914049.tif 000002
【図２】
0003914049.tif 000003
【図３】
0003914049.tif 000004
【図４】
0003914049.tif 000005
【図５】
0003914049.tif 000006